(57)【要約】      （修正有）【課題】メラミン化粧板をベースとして磁着機能を備えたホワイトボードを提供する。【解決手段】メラミン化粧板でなるホワイトボード材は、芯材の上に設けた鋼材、磁着材でなる取付芯材と、取付芯材の少なくとも上面をカバーするメラミン樹脂膜でなる構成であり、メラミン化粧板の構造を利用したことを特徴とする。また、メラミン樹脂膜が、ホワイトボードとしてのホワイト表面３００を備える。例えば、黒板の裏棧に、ホワイトボード材を取付け、ホワイトボードとして利用する。【選択図】図３−１
0003179825.tif 000002
【実用新案登録請求の範囲】
【請求項１】
メラミン化粧板構造のホワイトボード材であって、
このメラミン化粧板構造のホワイトボード材は、芯材と、この芯材の上に設けた鋼材、磁着材でなる取付芯材と、この取付芯材の少なくとも上面をカバーするメラミン樹脂膜で構成し、このメラミン樹脂膜が、ホワイトボードとしてのホワイト表面を備えている構成としたメラミン化粧板構造のホワイトボード材。
【請求項２】
請求項１に記載のメラミン化粧板構造のホワイトボード材であって、
前記ホワイト表面に、罫線の代替目印となる、規則性のある図、規則性のある柄、規則性のある句読点・濁点、規則性のある丸、規則性のある方形柄、規則性のある線、規則性のある記号、を設ける構成としたメラミン化粧板構造のホワイトボード材。
【請求項３】
請求項１に記載のメラミン化粧板構造のホワイトボード材であって、
前記ホワイト表面を、白色とし、前記罫線の代替目印を、白色以外の色とする構成としたメラミン化粧板構造のホワイトボード材。
【請求項４】
請求項１に記載のメラミン化粧板構造のホワイトボード材であって、
前記ホワイトボード材を、黒板、又は壁（内装材）の表面材とする構成としたメラミン化粧板構造のホワイトボード材。
【考案の詳細な説明】
【技術分野】
【０００１】
本考案は、各種の黒板、又は壁（内装材）の表面材とするメラミン化粧板構造のホワイトボード（ホワイトボーは、登録商標である）材に関し、さらに、詳しくは、磁着機能を備えたメラミン化粧板構造のホワイトボード材に関する。
【背景技術】
【０００２】
従来、磁着機能を備えたメラミン化粧板としては、例えば、次のような特許等の文献が挙げられる。
【０００３】
文献（１）として、特開２００６−２７２８２２号公報の「化粧パネル」がある。この発明は、磁石式の化粧板で、表面か、裏面の何れか一面に磁着層を形成することで、表面に、磁石を磁着可能とする。また素材の選択と、その配合比を選択することで、錆の発生回避等が図れる特徴がある。
【０００４】
文献（２）として、特開２００５−２７３０２３号公報の「磁性紙及び積層板並びに熱硬化性樹脂化粧板」がある。この発明は、樹脂含浸化粧紙、樹脂含浸磁性紙、並びに樹脂含浸コア紙、等を熱圧着した化粧板で、内装材、又は表面材として施工する。この内装材等が、磁着性を有することで、表面に、磁石を磁着可能とすること、また、加工の容易な、内装材等とすること、さらに、この内装材等の表面に、磁石でメモ用紙、印刷物等の紙片を磁着できること、等の特徴がある。
【０００５】
文献（３）としては、特開２００７−１９６５１０号公報の「化粧板」がある。この発明は、熱硬化性樹脂でなる芯材層に表面化粧層とでなる化粧板と、磁性金属板を一体に設けた化粧板であり、素材の選択と、その配合比を選択することで、切断加工が容易で、かつ不燃性の化粧板を提供する。
【０００６】
また、磁着機能を備えたホワイトボードとしては、例えば、次のような特許等の文献が挙げられる。
【０００７】
文献（４）として、特開２００１−２４６８９７号公報の「ホワイトボード及び黒板の改修方法」がある。この発明は、プラスチック板、アルミニュウム板と、鉄板でなる磁石を備えたホワイトボード、又は磁石を備えた黒板を磁着して使用する構造であり、軽量かつ安価な、ホワイトボード、又は黒板を提供する。
【０００８】
文献（５）として、実開平２−１７３９２号公報の「カラーメモパネル」がある。この考案は、ポリエチレン樹脂発泡体でなる芯材に、アルミ薄板と、塩化ビニールカラーシートを設けたカラーメモパネルにおいて、色彩を変化させた各種のメモ欄を形成する構造であり、軽量で、かつ取扱いの容易なカラーメモパネルを提供する。
【０００９】
さらに、文献（６）として、実用新案登録第３０６１７５７号公報の「台所用ホワイトボードシート」がある。この考案は、ホワイトボードに形成したメモ欄、日付欄、カレンダー欄等でなり、予定と行事等を記す磁着式のボードの構造であり、色彩による差別化で、誤認を回避し、かつ確実に、食品の種別とか、賞味期間を識別できる特徴がある。
【００１０】
【特許文献１】特開２００６−２７２８２２号公報
【特許文献２】特開２００５−２７３０２３号公報
【特許文献３】特開２００７−１９６５１０号公報
【特許文献４】特開２００１−２４６８９７号公報
【特許文献５】実開平２−１７３９２号公報
【特許文献６】実用新案登録第３０６１７５７号公報
【考案の概要】
【考案が解決しようとする課題】
【００１１】
文献（１）の「化粧パネル」、又は文献（２）に挙げた「熱硬化性樹脂化粧板」、或いは文献（３）の「化粧板」は、ともに、磁着性を備えた化粧板の改良であり、本考案が意図する、メラミン化粧板でなるホワイトボード材でない。従って、この文献（１）〜（３）は、従来の化粧材の範疇における改良発明であって、利用分野の広がりと、多目的用途が図れるとは考えられない。
【００１２】
また、文献（４）の「ホワイトボード等の改修方法」、又は文献（５）の「カラーメモパネル」、或いは文献（６）の「ホワイトボードシート」は、ともに、ホワイトボードの改良であり、本考案が意図する、メラミン化粧板でなるホワイトボード材でない。従って、
この文献（４）〜（６）は、従来のホワイトボードの範疇における改良発明・考案であって、利用分野の広がりと、多目的用途が図れるとは考えられない。
【００１３】
上記に鑑み、本考案は、メラミン化粧板の表面材（表層材）としての利用と、ホワイトボードの表面材、或いは内装材の表面材等の、各芯材の表面材として活用できる、メラミン化粧板構造のホワイトボード材を提供することと、この提供により、利用分野の広がりと、多目的用途が図れる、メラミン化粧板構造のホワイトボード材を提供する、等を考え、かつ実行することを意図する。
【課題を解決するための手段】
【００１４】
前述の如く、本考案は、メラミン化粧板の表面材（表層材）、又はホワイトボードの表面材、或いは内装材の表面材等の、各芯材の表面材として活用できる、メラミン化粧板構造のホワイトボード材を提供する。その為に、下記に示す、請求項１〜４を提供する。また、本考案は、このメラミン化粧板構造のホワイトボード材を提供し、ホワイトボードの利用分野の広がりと、多目的用途が図り得る、最適な構造のメラミン化粧板構造のホワイトボード材の提供である。
【００１５】
即ち、請求項１は、メラミン化粧板構造のホワイトボード材（メラミン化粧板でなるホワイトボード材）であって、
このメラミン化粧板構造のホワイトボード材は、基材となる芯材と、この芯材の上に設けた鋼材、磁着材でなる取付芯材と、この取付芯材の少なくとも上面をカバーするメラミン樹脂膜で構成し、このメラミン樹脂膜が、ホワイトボードとしてのホワイト表面を備えている構成としたメラミン化粧板構造のホワイトボード材である。
【００１６】
この請求項１を受けて、請求項２は、請求項１に記載のメラミン化粧板構造のホワイトボード材であって、
前記ホワイト表面に、罫線の代替目印となる、規則性のある図、規則性のある柄、規則性のある句読点・濁点、規則性のある丸、規則性のある方形柄、規則性のある線、規則性のある記号、を設ける構成としたメラミン化粧板構造のホワイトボード材である。
【００１７】
また、この請求項１を受けて、請求項３は、請求項１に記載のメラミン化粧板構造のホワイトボード材であって、
前記ホワイト表面を、白色とし、前記罫線の代替目印を、白色以外の色とする構成としたメラミン化粧板構造のホワイトボード材である。
【００１８】
そして、この請求項１を受けて、請求項４は、請求項１に記載のメラミン化粧板構造のホワイトボード材であって、
前記ホワイトボード材を、黒板、又は壁（内装材）の表面材とする構成としたメラミン化粧板構造のホワイトボード材である。
【考案の効果】
【００１９】
請求項１の考案は、メラミン化粧板構造のホワイトボード材（メラミン化粧板でなるホワイトボード材）であって、
メラミン化粧板構造のホワイトボード材は、芯材と、芯材の上に設けた鋼材、磁着材でなる取付芯材と、取付芯材の少なくとも上面をカバーするメラミン樹脂膜で構成し、メラミン樹脂膜が、ホワイトボードとしてのホワイト表面を備えている構成としたメラミン化粧板構造のホワイトボード材である。
【００２０】
これにより、請求項１では、前述した、メラミン化粧板の表面材、又はホワイトボードの表面材、或いは内装材の表面材等の、各芯材の表面材として活用できる、メラミン化粧板構造のホワイトボード材を提供できる。また、請求項１では、このメラミン化粧板構造のホワイトボード材を提供し、ホワイトボードの利用分野の広がりと、多目的用途が図り得る、最適な構造のメラミン化粧板構造のホワイトボード材の提供できる。
【００２１】
この請求項２の考案は、請求項１に記載のメラミン化粧板構造のホワイトボード材であって、
ホワイト表面に、罫線の代替目印となる、規則性のある図、規則性のある柄、規則性のある句読点・濁点、規則性のある丸、規則性のある方形柄、規則性のある線、規則性のある記号、を設ける構成としたメラミン化粧板構造のホワイトボード材である。
【００２２】
従って、この請求項２では、請求項１の特徴を達成し、かつ前記規則性のある図（抽象化された物品の図、キャラクタ等の図等）、規則性のある柄（×、÷、ハート、☆等）、規則性のある句読点・濁点、規則性のある丸（○、◎、Ο「楕円」等）、規則性のある方形柄（長方形、四角形等）、規則性のある線（破線、一点鎖線、二点鎖線等の各線）、規則性のある記号（△、◇、□等）、による罫線の代替目印である。これにより、文字の記載時のガイドとして、又はイラストレータ等の図柄、図等の記載の容易性と、利便性に寄与できる。
【００２３】
また、この請求項３の考案は、請求項１に記載のメラミン化粧板構造のホワイトボード材であって、
ホワイト表面を、白色とし、罫線の代替目印を、白色以外の色とする構成としたメラミン化粧板構造のホワイトボード材である。
【００２４】
従って、この請求項３では、請求項１の特徴を達成し、かつ罫線の代替目印を、視認し易くすること、又は書き損じの減少が図れる特徴がある。
【００２５】
さらに、請求項４の考案は、請求項１に記載のメラミン化粧板構造のホワイトボード材であって、
ホワイトボード材を、黒板、又は壁（内装材）の表面材とする構成としたメラミン化粧板構造のホワイトボード材である。
【００２６】
従って、この請求項４では、請求項１の特徴を達成し、かつこのメラミン化粧板構造のホワイトボード材の各用途と、この核用途に最適な構造を提供できる特徴がある。
【図面の簡単な説明】
【００２７】
【図１−１】本考案のメラミン化粧板構造のホワイトボード材（原則として、ホワイトボード材Ａとする）の第一考案の一部を拡大して示した斜視図
【図１−２】ホワイトボード材Ａの第二考案の一部を拡大して示した斜視図
【図１−３】ホワイトボード材Ａの第三考案の一部を拡大して示した斜視図
【図２−１】図１−１の拡大断面図
【図２−２】図２−１の要部をさらに拡大し、罫線の代替目印を示した断面図
【図３−１】ホワイトボード材Ａをホワイトボード（黒板）に使用した、一部欠截の第一実施例を示した斜視図
【図３−２】図３−１の第一実施例の要部の拡大断面図
【図４−１】ホワイトボード材Ａを捲上げ式のホワイトボードに使用した、一部欠截の第二実施例を示した斜視図
【図４−２】ホワイトボード材Ａを案内ボード式のホワイトボードに使用した第三実施例を示した斜視図
【図４−３】ホワイトボード材Ａを壁掛け式のホワイトボードに使用した第四実施例を示した斜視図
【図４−４】ホワイトボード材Ａをホワイトボードに使用し、このホワイトボードをパソコンに連繋した第五実施例を示した斜視図
【図４−５】ホワイトボード材Ａを、室内の内装材に利用し、かつホワイトボード（壁）として使用した一部欠截の第六実施例を示した斜視図
【考案を実施するための形態】
【００２８】
このホワイトボード材Ａは、メラミン樹脂、フェノール樹脂等の熱硬化性樹脂を、含浸又は塗布したメラミン樹脂含浸紙、又はメラミン樹脂、フェノール樹脂等の熱硬化性樹脂を、含浸又は塗布した各種不織布・織布、或いはメラミン樹脂、フェノール樹脂等の熱硬化性樹脂を、含浸又は塗布した樹脂・木材・その他の材料等を、一枚、又は複数枚積層してなる芯材１（基材）と、この芯材１に添設、一体、又は接着等して設けた一枚形状鋼材、蛇腹式・折畳み短冊（シャツタ）形状鋼材等の磁着性（被磁性体、吸磁体）か、又は（ソフト）フェライト（フェライト粒子）を添着、溶着、編成、塗布等した、紙、不織布、又は樹脂素材でなる捲装可能な磁着材（磁石）でなる取付芯材２と、この取付芯材２に塗着、添着、又は接着等して設けたホワイトボードとしてのホワイト表面３００を備えたメラミン樹脂膜３とでなる（積層する）構成である。そして、このホワイトボード材Ａは、メラミン化粧板の積層構造を利用すること、又は従来のホワイトボード（図示せず）の素材の強度の脆弱化に対応し、この種のメラミン化粧板の積層構造の強度性を活用すること、等を特徴とする。
【００２９】
尚、このメラミン樹脂膜３のホワイト表面３００は、次のような構造となっている。取付芯材２の上に、白色のメラミン樹脂の膜厚は、例えば、０．１５ｍｍ〜０．３ｍｍ程度とする。このホワイト表面３００には、白紙、スペース面に設けた、横線（行）と縦線（列）等を示す罫線の代替目印５が多数設けられている。例えば、次のような構造がある。図１−１に示した、規則性のある記号（△、◇、□等）と、図１−２に示した規則性のある丸（○、◎、Ο「楕円」等）とか、図１−３に示した規則性のある線（破線、一点鎖線、二点鎖線等の各線）がある。そして、図示しないが、規則性のある図（抽象化された物品の図、キャラクタ等の図等）、規則性のある柄（×、÷、ハート、☆等）、規則性のある句読点・濁点、又は規則性のある方形柄（長方形、四角形等）、等が考えられる。このホワイト表面３００には、水性・油性のサインペン６を利用して、自由に書き込める。また、黒板消し７を利用して、自由に消すことができる。
【００３０】
そして、この芯材１と取付芯材２、並びにメラミン樹脂膜３（三者）は、加熱加圧成形方法により一体形成する方法と、この三者をそれぞれ接着する方法、又は前記方向の選択的な組合せ方法が考えられ、本考案では、限定されない。
【００３１】
そして、このホワイトボード材Ａを使用した、各実施例を説明する。図３−１は、ホワイトボード材Ａをホワイトボード１０（黒板）に使用した第一実施例を示した斜視図であり、このホワイトボード１０は、各種形状の裏棧１１（基盤）と、この裏棧１１を囲繞するする上下・左右枠１２ａ〜１２ｄでなる枠体１２と、この裏棧１１に設け、かつ枠体１２の内側に設けた中間棧１３と、この裏棧１１、及び／又は、枠体１２と中間棧１３に設けたホワイトボード材Ａで構成する。このホワイトボード１０は、裏棧１１、及び／又は、枠体１２と中間棧１３、並びにホワイトボード材Ａを組付け構成する。図中１５はサインペン６、又は黒板消し７、消し粉受け等を受入れる受け皿である。このホワイトボード１０は、図示しない、部屋の壁に取付けられる。そして、図３−２は、ホワイトボード１０の拡大断面図を示す。
【００３２】
次に、図４−１は、ホワイトボード材Ａを、捲上げ式のホワイトボード２０の表面材として使用した第二実施例を示した斜視図であり、その一部を欠截して示しており、このホワイトボード２０は、前記蛇腹式・折畳み短冊（シャツタ）形状鋼材、又は紙、不織布、又は樹脂素材でなる捲装可能な磁着材で、可撓性を有しており、自由に捲上げ（巻取り）、捲戻し（吊下げ）できる構造であり、図示の如く、吊下げ状態で、ホワイトボード２０として使用する。図中２１は芯材、２２はケースを示す。その他の図１−１〜図１−３に準ずる。そして、この例では、前述の如く、芯材１、取付芯材２、又はメラミン樹脂膜３が可撓性を備えることが必要である。
【００３３】
また、図４−２は、ホワイトボード材Ａを、案内ボード式のホワイトボード３０の表面材として使用した第三実施例を示した斜視図であり、この例は、前述のホワイトボード１０の構造に準ずるが、脚部３１と、ベース部３２、及び／又は、ストッパー付きキャスタ３３を備えることが望ましい。
【００３４】
図４−３は、ホワイトボード材Ａを、壁掛け式のホワイトボード４０の表面材として使用した第四実施例を示した斜視図であり、前述のホワイトボード１０の構造に準ずるが、掛け紐４１を有しており、この掛け紐４１を利用して、壁、柱等の固定物に係止する。このホワイトボード４０の構造は、前述のホワイトボード１０の構造に準ずる。
【００３５】
図４−４は、ホワイトボード材Ａを、電子ホワイトボード５０の表面材として使用し、このホワイトボード５０をパソコン５１に連繋した第五実施例を示した斜視図であり、前記ホワイトボード１０に電子機能（図示せず）を付加し、パソコン５１からの指令を、ホワイト表面３００に表示する構造であり、その他は、前述のホワイトボード１０の構造に準ずる。
【００３６】
続いて、図４−５は、ホワイトボード材Ａを、室内の壁の内装材６１の表面材に利用し、かつこの内装材６１の代替とするホワイトボード６０として使用する第六実施例を示した斜視図であり、このホワイトボード材Ａを、躯体６２に設けた内装材６１の表面材として使用する。この例では、例えば、図示の如く、子供部屋、又は幼稚園、保育園等に採用し、教育、教養の向上に有効と考えられる。そのた、図示しないが、病院、介護施設、リハビリ施設等に採用し、痴呆の改良、リハビリ等に有効と考えられる。このホワイトボード６０の構造は、前述のホワイトボード１０の構造に準ずる。
【００３７】
以上の図３−１から図４−５において、本考案のホワイトボード材Ａを採用する各実施例は、本考案の好ましい一例の説明である。従って、本考案は上述した各実施例に限定されるものではなく、考案・工夫等の趣旨の範囲において構成の一部を変更する構造とか、同じ特徴と効果を達成できる構造、等は、本考案の範疇である。
【符号の説明】
【００３８】
Ａ        メラミン化粧板構造のホワイトボード材
１        芯材
２        取付芯材
３        メラミン樹脂膜
３００    ホワイト表面
５        罫線の代替目印
６        サインペン
７        黒板消し
１０      ホワイトボード
１１      裏棧
１２      枠体
１３      中間棧
１５      受け皿
２０      ホワイトボード
２１      芯材
２２      ケース
３０      ホワイトボード
３１      脚部
３２      ベース部
３３      キャスタ
４０      ホワイトボード
４１      掛け紐
５０      ホワイトボード
５１      パソコン
【図１−１】
0003179825.tif 000003
【図１−２】
0003179825.tif 000004
【図１−３】
0003179825.tif 000005
【図２−１】
0003179825.tif 000006
【図２−２】
0003179825.tif 000007
【図３−１】
0003179825.tif 000008
【図３−２】
0003179825.tif 000009
【図４−１】
0003179825.tif 000010
【図４−２】
0003179825.tif 000011
【図４−３】
0003179825.tif 000012
【図４−４】
0003179825.tif 000013
【図４−５】
0003179825.tif 000014
【手続補正書】
【提出日】平成24年9月12日(2012.9.12)
【手続補正１】
【補正対象書類名】実用新案登録請求の範囲
【補正対象項目名】全文
【補正方法】変更
【補正の内容】
【実用新案登録請求の範囲】
【請求項１】
メラミン化粧板構造のホワイトボード材であって、
このメラミン化粧板構造のホワイトボード材は、芯材と、この芯材の上に設けた鋼材、磁着材でなる取付芯材と、この取付芯材の少なくとも上面をカバーするメラミン樹脂膜で構成し、このメラミン樹脂膜が、ホワイトボードとしてのホワイト表面を備えている構成としたメラミン化粧板構造のホワイトボード材。
【請求項２】
請求項１に記載のメラミン化粧板構造のホワイトボード材であって、
前記ホワイト表面に、罫線の代替目印となる、規則性のある図、規則性のある柄、規則性のある句読点・濁点、規則性のある丸、規則性のある方形柄、規則性のある線、規則性のある記号、の何れか一つを設ける構成としたメラミン化粧板構造のホワイトボード材。
【請求項３】
請求項２に記載のメラミン化粧板構造のホワイトボード材であって、
前記ホワイト表面を、白色とし、前記罫線の代替目印を、白色以外の色とする構成としたメラミン化粧板構造のホワイトボード材。
【請求項４】
請求項１に記載のメラミン化粧板構造のホワイトボード材であって、
前記ホワイトボード材を、黒板、又は壁（内装材）の表面材とする構成としたメラミン化粧板構造のホワイトボード材。
【手続補正２】
【補正対象書類名】明細書
【補正対象項目名】全文
【補正方法】変更
【補正の内容】
【考案の詳細な説明】
【技術分野】
【０００１】
本考案は、各種の黒板、又は壁（内装材）の表面材とするメラミン化粧板構造のホワイトボード材に関し、さらに、詳しくは、磁着機能を備えたメラミン化粧板構造のホワイトボード材に関する。
【背景技術】
【０００２】
従来、磁着機能を備えたメラミン化粧板としては、例えば、次のような特許等の文献が挙げられる。
【０００３】
文献（１）として、特開２００６−２７２８２２号公報の「化粧パネル」がある。この発明は、磁石式の化粧板で、表面か、裏面の何れか一面に磁着層を形成することで、表面に、磁石を磁着可能とする。また素材の選択と、その配合比を選択することで、錆の発生回避等が図れる特徴がある。
【０００４】
文献（２）として、特開２００５−２７３０２３号公報の「磁性紙及び積層板並びに熱硬化性樹脂化粧板」がある。この発明は、樹脂含浸化粧紙、樹脂含浸磁性紙、並びに樹脂含浸コア紙、等を熱圧着した化粧板で、内装材、又は表面材として施工する。この内装材等が、磁着性を有することで、表面に、磁石を磁着可能とすること、また、加工の容易な、内装材等とすること、さらに、この内装材等の表面に、磁石でメモ用紙、印刷物等の紙片を磁着できること、等の特徴がある。
【０００５】
文献（３）としては、特開２００７−１９６５１０号公報の「化粧板」がある。この発明は、熱硬化性樹脂でなる芯材層に表面化粧層とでなる化粧板と、磁性金属板を一体に設けた化粧板であり、素材の選択と、その配合比を選択することで、切断加工が容易で、かつ不燃性の化粧板を提供する。
【０００６】
また、磁着機能を備えたホワイトボードとしては、例えば、次のような特許等の文献が挙げられる。
【０００７】
文献（４）として、特開２００１−２４６８９７号公報の「ホワイトボード及び黒板の改修方法」がある。この発明は、プラスチック板、アルミニュウム板と、鉄板でなる磁石を備えたホワイトボード、又は磁石を備えた黒板を磁着して使用する構造であり、軽量かつ安価な、ホワイトボード、又は黒板を提供する。
【０００８】
文献（５）として、実開平２−１７３９２号公報の「カラーメモパネル」がある。この考案は、ポリエチレン樹脂発泡体でなる芯材に、アルミ薄板と、塩化ビニールカラーシートを設けたカラーメモパネルにおいて、色彩を変化させた各種のメモ欄を形成する構造であり、軽量で、かつ取扱いの容易なカラーメモパネルを提供する。
【０００９】
さらに、文献（６）として、実用新案登録第３０６１７５７号公報の「台所用ホワイトボードシート」がある。この考案は、ホワイトボードに形成したメモ欄、日付欄、カレンダー欄等でなり、予定と行事等を記す磁着式のボードの構造であり、色彩による差別化で、誤認を回避し、かつ確実に、食品の種別とか、賞味期間を識別できる特徴がある。
【００１０】
【特許文献１】特開２００６−２７２８２２号公報
【特許文献２】特開２００５−２７３０２３号公報
【特許文献３】特開２００７−１９６５１０号公報
【特許文献４】特開２００１−２４６８９７号公報
【特許文献５】実開平２−１７３９２号公報
【特許文献６】実用新案登録第３０６１７５７号公報
【考案の概要】
【考案が解決しようとする課題】
【００１１】
文献（１）の「化粧パネル」、又は文献（２）に挙げた「熱硬化性樹脂化粧板」、或いは文献（３）の「化粧板」は、ともに、磁着性を備えた化粧板の改良であり、本考案が意図する、メラミン化粧板でなるホワイトボード材でない。従って、この文献（１）〜（３）は、従来の化粧材の範疇における改良発明であって、利用分野の広がりと、多目的用途が図れるとは考えられない。
【００１２】
また、文献（４）の「ホワイトボード等の改修方法」、又は文献（５）の「カラーメモパネル」、或いは文献（６）の「ホワイトボードシート」は、ともに、ホワイトボードの改良であり、本考案が意図する、メラミン化粧板でなるホワイトボード材でない。従って、
この文献（４）〜（６）は、従来のホワイトボードの範疇における改良発明・考案であって、利用分野の広がりと、多目的用途が図れるとは考えられない。
【００１３】
上記に鑑み、本考案は、メラミン化粧板の表面材（表層材）としての利用と、ホワイトボードの表面材、或いは内装材の表面材等の、各芯材の表面材として活用できる、メラミン化粧板構造のホワイトボード材を提供することと、この提供により、利用分野の広がりと、多目的用途が図れる、メラミン化粧板構造のホワイトボード材を提供する、等を考え、かつ実行することを意図する。
【課題を解決するための手段】
【００１４】
前述の如く、本考案は、メラミン化粧板の表面材（表層材）、又はホワイトボードの表面材、或いは内装材の表面材等の、各芯材の表面材として活用できる、メラミン化粧板構造のホワイトボード材を提供する。その為に、下記に示す、請求項１〜４を提供する。また、本考案は、このメラミン化粧板構造のホワイトボード材を提供し、ホワイトボードの利用分野の広がりと、多目的用途が図り得る、最適な構造のメラミン化粧板構造のホワイトボード材の提供である。
【００１５】
即ち、請求項１は、メラミン化粧板構造のホワイトボード材（メラミン化粧板でなるホワイトボード材）であって、
このメラミン化粧板構造のホワイトボード材は、基材となる芯材と、この芯材の上に設けた鋼材、磁着材でなる取付芯材と、この取付芯材の少なくとも上面をカバーするメラミン樹脂膜で構成し、このメラミン樹脂膜が、ホワイトボードとしてのホワイト表面を備えている構成としたメラミン化粧板構造のホワイトボード材である。
【００１６】
この請求項１を受けて、請求項２は、請求項１に記載のメラミン化粧板構造のホワイトボード材であって、
前記ホワイト表面に、罫線の代替目印となる、規則性のある図、規則性のある柄、規則性のある句読点・濁点、規則性のある丸、規則性のある方形柄、規則性のある線、規則性のある記号、の何れか一つを設ける構成としたメラミン化粧板構造のホワイトボード材である。
【００１７】
また、この請求項１を受けて、請求項３は、請求項２に記載のメラミン化粧板構造のホワイトボード材であって、
前記ホワイト表面を、白色とし、前記罫線の代替目印を、白色以外の色とする構成としたメラミン化粧板構造のホワイトボード材である。
【００１８】
そして、この請求項１を受けて、請求項４は、請求項１に記載のメラミン化粧板構造のホワイトボード材であって、
前記ホワイトボード材を、黒板、又は壁（内装材）の表面材とする構成としたメラミン化粧板構造のホワイトボード材である。
【考案の効果】
【００１９】
請求項１の考案は、メラミン化粧板構造のホワイトボード材（メラミン化粧板でなるホワイトボード材）であって、
メラミン化粧板構造のホワイトボード材は、芯材と、芯材の上に設けた鋼材、磁着材でなる取付芯材と、取付芯材の少なくとも上面をカバーするメラミン樹脂膜で構成し、メラミン樹脂膜が、ホワイトボードとしてのホワイト表面を備えている構成としたメラミン化粧板構造のホワイトボード材である。
【００２０】
これにより、請求項１では、前述した、メラミン化粧板の表面材、又はホワイトボードの表面材、或いは内装材の表面材等の、各芯材の表面材として活用できる、メラミン化粧板構造のホワイトボード材を提供できる。また、請求項１では、このメラミン化粧板構造のホワイトボード材を提供し、ホワイトボードの利用分野の広がりと、多目的用途が図り得る、最適な構造のメラミン化粧板構造のホワイトボード材の提供できる。
【００２１】
この請求項２の考案は、請求項１に記載のメラミン化粧板構造のホワイトボード材であって、
ホワイト表面に、罫線の代替目印となる、規則性のある図、規則性のある柄、規則性のある句読点・濁点、規則性のある丸、規則性のある方形柄、規則性のある線、規則性のある記号、の何れか一つを設ける構成としたメラミン化粧板構造のホワイトボード材である。
【００２２】
従って、この請求項２では、請求項１の特徴を達成し、かつ前記規則性のある図（抽象化された物品の図、キャラクタ等の図等）、規則性のある柄（×、÷、ハート、☆等）、規則性のある句読点・濁点、規則性のある丸（○、◎、Ο「楕円」等）、規則性のある方形柄（長方形、四角形等）、規則性のある線（破線、一点鎖線、二点鎖線等の各線）、規則性のある記号（△、◇、□等）、による罫線の代替目印である。これにより、文字の記載時のガイドとして、又はイラストレータ等の図柄、図等の記載の容易性と、利便性に寄与できる。
【００２３】
また、この請求項３の考案は、請求項２に記載のメラミン化粧板構造のホワイトボード材であって、
ホワイト表面を、白色とし、罫線の代替目印を、白色以外の色とする構成としたメラミン化粧板構造のホワイトボード材である。
【００２４】
従って、この請求項３では、請求項２の特徴を達成し、かつ罫線の代替目印を、視認し易くすること、又は書き損じの減少が図れる特徴がある。
【００２５】
さらに、請求項４の考案は、請求項１に記載のメラミン化粧板構造のホワイトボード材であって、
ホワイトボード材を、黒板、又は壁（内装材）の表面材とする構成としたメラミン化粧板構造のホワイトボード材である。
【００２６】
従って、この請求項４では、請求項１の特徴を達成し、かつこのメラミン化粧板構造のホワイトボード材の各用途と、この核用途に最適な構造を提供できる特徴がある。
【図面の簡単な説明】
【００２７】
【図１−１】本考案のメラミン化粧板構造のホワイトボード材（原則として、ホワイトボード材Ａとする）の第一考案の一部を拡大して示した斜視図
【図１−２】ホワイトボード材Ａの第二考案の一部を拡大して示した斜視図
【図１−３】ホワイトボード材Ａの第三考案の一部を拡大して示した斜視図
【図２−１】図１−１の拡大断面図
【図２−２】図２−１の要部をさらに拡大し、罫線の代替目印を示した断面図
【図３−１】ホワイトボード材Ａをホワイトボード（黒板）に使用した、一部欠截の第一実施例を示した斜視図
【図３−２】図３−１の第一実施例の要部の拡大断面図
【図４−１】ホワイトボード材Ａを捲上げ式のホワイトボードに使用した、一部欠截の第二実施例を示した斜視図
【図４−２】ホワイトボード材Ａを案内ボード式のホワイトボードに使用した第三実施例を示した斜視図
【図４−３】ホワイトボード材Ａを壁掛け式のホワイトボードに使用した第四実施例を示した斜視図
【図４−４】ホワイトボード材Ａをホワイトボードに使用し、このホワイトボードをパソコンに連繋した第五実施例を示した斜視図
【図４−５】ホワイトボード材Ａを、室内の内装材に利用し、かつホワイトボード（壁）として使用した一部欠截の第六実施例を示した斜視図
【考案を実施するための形態】
【００２８】
このホワイトボード材Ａは、メラミン樹脂、フェノール樹脂等の熱硬化性樹脂を、含浸又は塗布したメラミン樹脂含浸紙、又はメラミン樹脂、フェノール樹脂等の熱硬化性樹脂を、含浸又は塗布した各種不織布・織布、或いはメラミン樹脂、フェノール樹脂等の熱硬化性樹脂を、含浸又は塗布した樹脂・木材・その他の材料等を、一枚、又は複数枚積層してなる芯材１（基材）と、この芯材１に添設、一体、又は接着等して設けた一枚形状鋼材、蛇腹式・折畳み短冊（シャツタ）形状鋼材等の磁着性（被磁性体、吸磁体）か、又は（ソフト）フェライト（フェライト粒子）を添着、溶着、編成、塗布等した、紙、不織布、又は樹脂素材でなる捲装可能な磁着材（磁石）でなる取付芯材２と、この取付芯材２に塗着、添着、又は接着等して設けたホワイトボードとしてのホワイト表面３００を備えたメラミン樹脂膜３とでなる（積層する）構成である。そして、このホワイトボード材Ａは、メラミン化粧板の積層構造を利用すること、又は従来のホワイトボード（図示せず）の素材の強度の脆弱化に対応し、この種のメラミン化粧板の積層構造の強度性を活用すること、等を特徴とする。
【００２９】
尚、このメラミン樹脂膜３のホワイト表面３００は、次のような構造となっている。取付芯材２の上に、白色のメラミン樹脂の膜厚は、例えば、０．１５ｍｍ〜０．３ｍｍ程度とする。このホワイト表面３００には、白紙、スペース面に設けた、横線（行）と縦線（列）等を示す罫線の代替目印５が多数設けられている。例えば、次のような構造がある。図１−１に示した、規則性のある記号（△、◇、□等）と、図１−２に示した規則性のある丸（○、◎、Ο「楕円」等）とか、図１−３に示した規則性のある線（破線、一点鎖線、二点鎖線等の各線）がある。そして、図示しないが、規則性のある図（抽象化された物品の図、キャラクタ等の図等）、規則性のある柄（×、÷、ハート、☆等）、規則性のある句読点・濁点、又は規則性のある方形柄（長方形、四角形等）、等が考えられる。このホワイト表面３００には、水性・油性のサインペン６を利用して、自由に書き込める。また、黒板消し７を利用して、自由に消すことができる。
【００３０】
そして、この芯材１と取付芯材２、並びにメラミン樹脂膜３（三者）は、加熱加圧成形方法により一体形成する方法と、この三者をそれぞれ接着する方法、又は前記方向の選択的な組合せ方法が考えられ、本考案では、限定されない。
【００３１】
そして、このホワイトボード材Ａを使用した、各実施例を説明する。図３−１は、ホワイトボード材Ａをホワイトボード１０（黒板）に使用した第一実施例を示した斜視図であり、このホワイトボード１０は、各種形状の裏棧１１（基盤）と、この裏棧１１を囲繞するする上下・左右枠１２ａ〜１２ｄでなる枠体１２と、この裏棧１１に設け、かつ枠体１２の内側に設けた中間棧１３と、この裏棧１１、及び／又は、枠体１２と中間棧１３に設けたホワイトボード材Ａで構成する。このホワイトボード１０は、裏棧１１、及び／又は、枠体１２と中間棧１３、並びにホワイトボード材Ａを組付け構成する。図中１５はサインペン６、又は黒板消し７、消し粉受け等を受入れる受け皿である。このホワイトボード１０は、図示しない、部屋の壁に取付けられる。そして、図３−２は、ホワイトボード１０の拡大断面図を示す。
【００３２】
次に、図４−１は、ホワイトボード材Ａを、捲上げ式のホワイトボード２０の表面材として使用した第二実施例を示した斜視図であり、その一部を欠截して示しており、このホワイトボード２０は、前記蛇腹式・折畳み短冊（シャツタ）形状鋼材、又は紙、不織布、又は樹脂素材でなる捲装可能な磁着材で、可撓性を有しており、自由に捲上げ（巻取り）、捲戻し（吊下げ）できる構造であり、図示の如く、吊下げ状態で、ホワイトボード２０として使用する。図中２１は芯材、２２はケースを示す。その他の図１−１〜図１−３に準ずる。そして、この例では、前述の如く、芯材１、取付芯材２、又はメラミン樹脂膜３が可撓性を備えることが必要である。
【００３３】
また、図４−２は、ホワイトボード材Ａを、案内ボード式のホワイトボード３０の表面材として使用した第三実施例を示した斜視図であり、この例は、前述のホワイトボード１０の構造に準ずるが、脚部３１と、ベース部３２、及び／又は、ストッパー付きキャスタ３３を備えることが望ましい。
【００３４】
図４−３は、ホワイトボード材Ａを、壁掛け式のホワイトボード４０の表面材として使用した第四実施例を示した斜視図であり、前述のホワイトボード１０の構造に準ずるが、掛け紐４１を有しており、この掛け紐４１を利用して、壁、柱等の固定物に係止する。このホワイトボード４０の構造は、前述のホワイトボード１０の構造に準ずる。
【００３５】
図４−４は、ホワイトボード材Ａを、電子ホワイトボード５０の表面材として使用し、このホワイトボード５０をパソコン５１に連繋した第五実施例を示した斜視図であり、前記ホワイトボード１０に電子機能（図示せず）を付加し、パソコン５１からの指令を、ホワイト表面３００に表示する構造であり、その他は、前述のホワイトボード１０の構造に準ずる。
【００３６】
続いて、図４−５は、ホワイトボード材Ａを、室内の壁の内装材６１の表面材に利用し、かつこの内装材６１の代替とするホワイトボード６０として使用する第六実施例を示した斜視図であり、このホワイトボード材Ａを、躯体６２に設けた内装材６１の表面材として使用する。この例では、例えば、図示の如く、子供部屋、又は幼稚園、保育園等に採用し、教育、教養の向上に有効と考えられる。そのた、図示しないが、病院、介護施設、リハビリ施設等に採用し、痴呆の改良、リハビリ等に有効と考えられる。このホワイトボード６０の構造は、前述のホワイトボード１０の構造に準ずる。
【００３７】
以上の図３−１から図４−５において、本考案のホワイトボード材Ａを採用する各実施例は、本考案の好ましい一例の説明である。従って、本考案は上述した各実施例に限定されるものではなく、考案・工夫等の趣旨の範囲において構成の一部を変更する構造とか、同じ特徴と効果を達成できる構造、等は、本考案の範疇である。
【符号の説明】
【００３８】
Ａ        メラミン化粧板構造のホワイトボード材
１        芯材
２        取付芯材
３        メラミン樹脂膜
３００    ホワイト表面
５        罫線の代替目印
６        サインペン
７        黒板消し
１０      ホワイトボード
１１      裏棧
１２      枠体
１３      中間棧
１５      受け皿
２０      ホワイトボード
２１      芯材
２２      ケース
３０      ホワイトボード
３１      脚部
３２      ベース部
３３      キャスタ
４０      ホワイトボード
４１      掛け紐
５０      ホワイトボード
５１      パソコン